(57)【要約】【課題】  床材を支持する横架材の防振性能を向上させて床構造全体の遮音性能を向上させるとともに、室の天井高さを確保することのできる横架材の防振構造及び遮音床構造を提供することを目的とする。【解決手段】  横架材の防振構造１は、軸組構造建築物を構成する横架材２の防振構造であって、床材Ｆを支持する長尺な横架材２と、横架材２の上下面を被覆して横架材２に作用する振動を緩和する第一防振材３と、横架材２の両側面２ａを被覆して横架材２の振動を抑制する第二防振材４と、を備える。【選択図】図１
2018204237.tif 000002
【特許請求の範囲】
【請求項１】
軸組構造建築物の架構を構成する横架材の防振構造であって、
床材を支持する長尺な前記横架材と、
前記横架材の上下面を被覆して前記横架材に作用する振動を緩和する第一防振材と、
前記横架材の両側面を被覆して前記横架材の振動を抑制する第二防振材と、を備えることを特徴とする横架材の防振構造。
【請求項２】
前記横架材は、一対の梁材の間に架設される根太材であり、
前記根太材は、該根太材の長手方向両端部を前記一対の梁材の互いに対向する側面に固定される根太受け金具に支持され、
前記根太受け金具は、梁材に固定される固定部と、該固定部の下端から前記根太材の下面に平行な方向へ突出して前記根太材の端部を支持する底板と、を有し、
前記第二防振材は、前記根太材の長手方向両端部の両側面を被覆し、
前記第一防振材は、前記根太材の上面を前記根太材の長手方向に沿って被覆し、且つ、前記根太材の下面の前記底板と当接する範囲を被覆することを特徴とする請求項１に記載の横架材の防振構造。
【請求項３】
前記第一防振材は、前記根太材の上下面とともに前記横架材の小口面も被覆することを特徴とする請求項２に記載の横架材の防振構造。
【請求項４】
前記横架材は、梁材であることを特徴とする請求項１に記載の横架材の防振構造。
【請求項５】
請求項１から請求項４のいずれかに記載の横架材の防振構造を有する遮音床構造であって、
前記横架材の上面を被覆する前記第一防振材と前記床材との間に振動音を抑制する板状の第一遮音板を設置することを特徴とする遮音床構造。
【請求項６】
前記横架材は、互いに平行に間隔を空けて一対配置され、
前記一対の横架材の間には、振動音を抑制する平板状の第二遮音板が嵌め込まれ、
前記第二遮音板は、前記一対の横架材の互いに対向する側面を被覆する前記第二防振材の側面に固定される受け金具に両端を支持され、
前記第二遮音板の上面と前記横架材の上面を被覆する第一防振材の上面は、略面一であることを特徴とする請求項５に記載の遮音床構造。
【発明の詳細な説明】
【技術分野】
【０００１】
本発明は、軸組構造建築物の架構を構成する横架材の防振構造に関する。
【背景技術】
【０００２】
従来より、木造建築物において、上階で生じた振動や衝撃音を下階に響かせないための遮音床構造が発案されている。特に、床仕上材の上面で発生した振動が梁材などの構造躯体に伝達すると、建築物全体に振動が波及してしまい、下階室の壁などを振動させて空気中に音として放射する所謂固定伝播音を発生させることとなる。そこで、梁材や梁材に接合される根太材などの横架材の振動を防止して固定伝播音の発生を抑制し、床構造全体の遮音性能を向上させる発明が提案されている。
【０００３】
例えば、特許文献１に記載の発明では、横部材と縦部材とから構成される四角枠形状の根太部材の防音性能を向上させる旨が開示されている。この発明では、横部材及び縦部材の連結部に遮音材を介在させ、また、根太部材の上面及び下面に遮音材を貼着することで根太部材の防音性能を向上させている。したがって、根太部材の上方に載置される床板材の上面で生じた衝撃や振動が、横部材及び縦部材の連結部や根太材自身に伝達することを防止することができる。
【０００４】
また、木造建築物に使用される一般的な遮音床構造としては、特許文献２及び特許文献３に記載の発明のように、梁材などの構造躯体と構造躯体の上方に設置される遮音性能を有する床材との間に弾性力を有するシート材や支持脚を介在させて構造躯体と床材とを離隔し、床材に載置される床仕上材の上面で生じた衝撃や振動が構造躯体を通じて下階へ伝達することを防止する浮き床構造や二重床構造が普及している。これらの構造に用いられる床材は、数種類の板材を積層して形成することにより高い遮音性能を有している。
【先行技術文献】
【特許文献】
【０００５】
【特許文献１】特開平８−１３５１４３
【特許文献２】特開２０１３−７６２７４
【特許文献３】特開２０１１−２５６５３１
【発明の概要】
【発明が解決しようとする課題】
【０００６】
しかしながら、特許文献１の発明では、遮音材のみによって、横部材と縦部材の連結部間、あるいは根太部材自体に振動や衝撃が伝達することを防止しているため、各部材の防振性能を向上させるために遮音材の厚みを厚くしたとしても遮音材単体で各部材の振動を抑制するには限界がある。
【０００７】
また、特許文献２及び特許文献３に示される浮き床構造や二重床構造は、建築基準法上の高さ制限が厳しい建築物、例えば、３階建ての木造建築物に用いた場合、構造躯体の上方に積層された床材を有する浮き床構造を設けた室は、浮き床構造を設けていない室よりも高い床を有することとなるため、天井高さを縮めざるを得ず圧迫感のある空間となることが問題となる。
【課題を解決するための手段】
【０００８】
本発明は上述した課題を鑑みたものであって、その第１の横架材の防振構造は、軸組構造建築物の架構を構成する前記横架材の防振構造であって、床材を支持する長尺な前記横架材と、前記横架材の上下面を被覆して前記横架材に作用する振動を緩和する第一防振材と、前記横架材の両側面を被覆して前記横架材の振動を抑制する第二防振材と、を備えることを特徴としている。
【０００９】
本発明の第２の横架材の防振構造は、前記横架材は、一対の梁材の間に架設される根太材であり、前記根太材は、該根太材の長手方向両端部を前記一対の梁材の互いに対向する側面に固定される根太受け金具に支持され、前記根太受け金具は、梁材に固定される固定部と、該固定部の下端から前記根太材の下面に平行な方向へ突出して前記根太材の端部を支持する底板と、を有し、前記第二防振材は、前記根太材の長手方向両端部の両側面を被覆し、前記第一防振材は、前記根太材の上面を前記根太材の長手方向に沿って被覆し、且つ、前記根太材の下面の前記底板と当接する範囲を被覆することを特徴としている。
【００１０】
本発明の第３の横架材の防振構造は、前記第一防振材は、前記根太材の上下面とともに前記横架材の小口面も被覆することを特徴としている。
【００１１】
本発明の第４の横架材の防振構造は、前記横架材は、梁材であることを特徴としている。
【００１２】
本発明の遮音床構造によると、第１から第４のいずれかに記載の横架材の防振構造を有する遮音床構造であって、前記横架材の上面を被覆する前記第一防振材と前記床材との間に振動音を抑制する板状の第一遮音板を設置することを特徴としている。
【００１３】
本発明の遮音床構造によると、前記横架材は、互いに平行に間隔を空けて一対配置され、前記一対の横架材の間には、振動音を抑制する平板状の第二遮音板が嵌め込まれ、前記第二遮音板は、前記一対の横架材の互いに対向する側面を被覆する前記第二防振材の側面に固定される受け金具に両端を支持され、前記第二遮音板の上面と前記横架材の上面を被覆する第一防振材の上面は、略面一であることを特徴としている。
【発明の効果】
【００１４】
本発明の横架材の防振構造によると、床材を支持する長尺な横架材は、横架材の上下面を被覆する第一防振材によって横架材に作用する振動を緩和され、横架材の両側面を被覆する第二防振材によって横架材自体の振動を抑制されるので、横架材の防振性能を向上することができ、横架材から横架材に接する他の部材へ振動が伝達されることを防止することができる。また、第一防振材及び第二防振材の２部材によって横架材の防振性能を向上することができるので、一種類の部材のみを使用した場合と比較して各部材の振動をより効果的に抑制することができる。
【００１５】
本発明の横架材の防振構造によると、横架材は、一対の梁材の間に架設される根太材であり、その長手方向の両端部は、一対の梁材に固定される根太受け金具の底板に支持される。また、第二防振材は、根太受け金具に支持される根太材の長手方向両端部の両側面を被覆し、第一防振材は、根太材の上面を根太材の長手方向に沿って被覆し、且つ、根太材の下面の底板と当接する範囲を被覆する。したがって、根太材と梁材の接合部において、各部材相互間で外力や応力を伝達し合いつつも根太材から梁材への振動の伝達を防止することができ、建築物全体の遮音性能を向上させることができる。
【００１６】
本発明の横架材の防振構造によると、第一防振材は、横架材の上下面とともに横架材の小口面も被覆するので、根太材の防振性能をより向上することができる。
【００１７】
本発明の横架材の防振構造によると、横架材は構造躯体である梁材であるので、梁材自体の防振性能を向上することができる。したがって、梁材に接合される他の部材が振動したとしても、梁材から躯体全体に振動が伝達することを防止することができ、建築物全体の遮音性能を向上させることができる。
【００１８】
本発明の遮音床構造によると、第１から第４のいずれかの横架材の防振構造を有し、横架材の上面を被覆する第一防振材と床材との間に振動音を抑制する板状の第二遮音板を設置するので、遮音性能の高い床構造を構築することができる。
【００１９】
本発明の遮音床構造によると、横架材は、互いに平行に間隔を空けて一対の配置され、一対の横架材の間に嵌め込まれる第二遮音板は、一対の横架材の互いに対向する側面を被覆する第二防振材の側面に固定される受け金具に両端を支持される。そして、第二遮音板の上面と横架材の上面を被覆する第一防振材の上面は、略面一である。したがって、横架材を梁材とした場合、従来のように数種類の板材を積層した遮音性能を有する床材を梁材の上方に設置する場合と比較して、床高さを低く抑えることができ、部屋の天井高さを縮めることなく十分な天井高さを確保することができる。
【図面の簡単な説明】
【００２０】
【図１】第一実施形態の横架材の防振構造を示す斜視図。
【図２】第一実施形態の横架材の防振構造を示す分解斜視図。
【図３】第二実施形態の横架材の防振構造を示す部分省略断面図。
【図４】根太材の上面を被覆する第一防振材を図示しない状態の第二実施形態の横架材の防振構造を示す部分省略平面図。
【図５】根太材と梁材の接合部を示す分解斜視図。
【図６】根太材の小口面に第一防振材を固着させた場合の根太材と梁材との接合部を示す分解斜視図。
【図７】根太材を大引の上方に配置する場合の斜視図。
【図８】遮音床構造を示す部分省略断面図。
【図９】第二遮音板を有する遮音床構造を示す部分省略断面図。
【発明を実施するための形態】
【００２１】
〔第一実施形態〕
以下、横架材の防振構造の最良の実施形態について各図を参照しつつ説明する。なお、本願の横架材の防振構造は、主に軸組構造の木造建築物において使用される。横架材の防振構造１は、軸組構造建築物の架構を構成する横架材２の振動を防止する構造であって、図１及び図２に示すように、床材Ｆを支持する長尺な横架材２と、横架材２の上面２ｂ及び下面２ｃを被覆して振動を緩和する第一防振材３と、横架材２の両側面２ａを被覆して横架材２の振動を抑制する第二防振材４と、を備えている。
【００２２】
横架材２は、梁材や根太材などの水平方向に架けられて床材Ｆを支持する木質の部材で、図１に示すように、長尺な角材で構成される。横架材２の寸法や樹種は特に限定されることはなく、使用される部位によって各寸法や樹種が導き出される。
【００２３】
第一防振材３は、振動を緩和するシート状の部材で、横架材２に作用する振動を緩和することができる。第一防振材３は、横架材２の上面２ｂを被覆する上部防振材３ａと、横架材２の下面２ｃを被覆する下部防振材３ｂと、を有している。第一防振材３の材質は特に限定されないが、弾性力を有する熱硬化性樹脂系エラストマや熱可塑性樹脂系エラストマが使用される。このような材質であれば、振動を受けた場合に材質自体の内部摩擦によって振動を緩和することができるとともに、横架材２の形状に合わせて容易に切断加工して施工性を向上させることができる。なお、上部防振材３ａの上面３１には、図１に示すように、床材Ｆを載置することができる。
【００２４】
第二防振材４は、耐衝撃性に優れた部材で、図１及び図２に示すように、横架材２の長手方向に沿って横架材２の両側面２ａに固定される平板状の部材である。第二防振材４の高さは、横架材２の高さと同一となるように形成されている。第二防振材４の材質は、耐衝撃性に優れたＡＢＳ（acrylonitrile butadiene styrene）樹脂や繊維強化プラスチックのような剛性の高い樹脂が好適に使用される。特にＡＢＳ樹脂は、工業製品の材料として頻繁に使用される入手しやすい樹脂であるとともに工場で容易に加工することができるので、様々な形状の横架材２に使用することができる。なお、第二防振材４の材質は、上述した材質に限定されることはなく、抑制したい振動の部類に応じて材質を変更してもよい。
【００２５】
次に、横架材の防振構造１の施工手順について説明する。まず、図２に示すように、横架材２に第二防振材４を固定する。具体的には、横架材２の長手方向に沿うように、第二防振材４を横架材２の両側面２ａに接着剤で貼着する。このとき、第二防振材４は、第二防振材４の長手方向両端の小口面と横架材２の小口面２ｄとが面一となるように横架材２に貼着される。続いて、上部防振材３ａを横架材の上面２ｂ及び第二防振材４の上面全域に接着剤で貼着し、下部防振材３ｂを横架材２の下面２ｃ及び第二防振材４の下面全域に接着剤で貼着する。このとき、第一防振材３の長手方向両端の小口面と小口面２ｄとが面一となるように上下の第一防振材３を貼着する。第二防振材４及び第一防振材３の横架材２への貼着は、予め工場で完了させて建築現場の施工性を向上させてもよいし、また、状況に応じて建築現場で行ってもよい。
【００２６】
このように、横架材２は、両側面２ａを第二防振材４によって挟まれるとともに、第一防振材３によって上面２ｂ及び下面２ｃをさらに挟まれるので、防振性能を向上させることができる。したがって、横架材の防振構造１は、横架材２から横架材２に接する他の部材への外力及び応力の伝達を可能としつつも、横架材２から他の部材への振動の伝達を防止することができ、建築物全体の遮音性能を向上させることができる。また、第二防振材４及び第一防振材３の２部材によって横架材２の防振性能を向上することができるので、一種類の部材のみを使用した場合と比較して各部材の振動をより効果的に抑制することができる。
〔第二実施形態〕
【００２７】
次に、横架材の防振構造の第二実施形態について、各図を参照しつつ説明する。なお、第一実施形態と同様の構成に関しては同一の符号を付して説明を省略する。
【００２８】
横架材の防振構造５は、図３及び図４に示すように、横架材が、一対の梁材７の間に架設される根太材６で構成されている。根太材６は、根太材６の長手方向両端部６１を一対の梁材７の互いに対向する側面７ａに固定される根太受け金具８に支持される。根太材６は、一対の梁材７同士の離隔距離と略同一の長さを有し、また、根太材６の小口面６ａ全体が、梁材７の側面７ａに納まる高さを有している。
【００２９】
根太受け金具８は、図５に示すように、梁材７に固定される固定部８ａと、固定部８ａの下端から根太材６の下面６ｂに平行な方向へ突出して根太材６の端部６１を支持する底板８ｂと、底板８ｂの両端縁からそれぞれ上方に突出して互いに対向する一対の側板８ｃと、を有する。
【００３０】
固定部８ａは、平面視矩形の平板状の部材で、その横方向の両端部に固定部８ａを梁材７に固定するための一対の固定片８１と、一対の固定片８１の間に根太材６の小口面６ａ全面を当接させる当接部８２を形成している。固定片８１は、釘やビスなどの固定具９を挿入するための挿入孔８３を梁材７の梁せい方向へ沿って複数設けている。底板８ｂは、平面視矩形の平板状の部材で、当接部８２の下端から突出して根太材６の長手方向の端部６１を支持することができる。また、側板８ｃは、平面視三角形の平板状の部材で、底板８ｂの端縁から上方に突出するとともに、固定部８ａに当接する一辺を固定片８１の当接部８２側の端縁に溶接接合される。なお、図４に示すように、一対の側板８ｃ同士の離隔距離Ｌ１は、両側面６ｃに第二防振材４を固定された根太材６の幅Ｌ２よりも長くなるように形成されている。
【００３１】
次に、横架材の防振構造５の施工手順について説明する。まず、図４及び図５に示すように、根太材６の長手方向両側端６１の両側面６ｃに第二防振材４を接着剤で貼着する。続いて、上部防振材３ａを根太材６の上面６ｄ及び第二防振材４の上面全域に接着剤で貼着し、下部防振材３ｂを根太材の下面６ｂ及び第二防振材４の下面の底板８ｂに当接する範囲に貼着する。
【００３２】
そして、図５に示すように、根太受け金具８を梁材７に固定する。具体的には、一対の固定片８１を梁材７の側面７ａに当接し、固定片８１の挿入孔８３に釘やビスなどの固定具９を挿入して梁材７に打ち込む。このとき、根太受け金具８は、根太受け金具８に第二防振材４及び第一防振材３に被覆された根太材６を設置する際に、梁材７の上面と根太材６の上面６ｃに貼着された上部防振材３ａの上面３１とが面一となるように位置を調整して梁材７に設置される。なお、根太受け金具８は、梁材７に予め工場でプレセットされて建築現場に搬入されてもよく、また建築現場で梁材７に固定するものであってもよい。
【００３３】
そして、図４に示すように、第二防振材４及び第一防振材３に被覆された根太材６を、一対の側板８ｃの間に嵌め込むように根太受け金具８に設置する。先述したように、離隔距離Ｌ１は幅Ｌ２よりも長いので、第二防振材４に被覆された根太材６は、一対の側板８ｃの間にスムーズに挿入することができる。またこのとき、根太材６は、根太材６の小口面６ａを当接部８２に当接するまで根太受け金具８に押し込まれ、底板８ｂの上面と底板８ｂに当接する下部防振材３ｂの下面とは、接着剤で固定される。
【００３４】
このように、根太受け金具８を介して梁材７と接合される根太材６は、長手方向両端部６１の両側面６ｂを第二防振材４によって挟まれるとともに、第一防振材３によって上面６ｃ及び下面６ｄの底板８ｂと当接する範囲をさらに挟まれるので、防振性能を向上させることができる。したがって、横架材の防振構造５は、根太材６から梁材７への外力及び応力の伝達を可能としつつも、根太材６から梁材７への振動の伝達を防止することができ、建築物全体の遮音性能を向上させることができる。
【００３５】
なお、ここでは根太材６の上下面に第一防振材３を設置する場合について説明を行ったが、根太材６の小口面６ａを被覆する為の第一防振材３、すなわち端面防振材３ｃを根太材６に設置してもよい。その場合は、図６に示すように、端面防振材３ｃを当接部８２に固定しておき、根太材６を根太受け金具８に挿入する際に端面防振材３ｃを小口面６ａに貼着してもよい。このように第一防振材３を配置することによって、根太材６の防振性能をより向上させることができる。また、根太材６を、図７に示すように、大引１０の上方に載置する際は、下部防振材３ｂを根太材６の長手方向に沿って下面６ｃ及び第二防振材４の下面全域に貼着し、根太材６から大引１０への振動の伝達を防止することができる。
【００３６】
続いて、上述した横架材の防振構造１、５を用いた遮音床構造について説明を行う。遮音床構造１１は、図８に示すように、横架材の防振構造１、５のいずれかを有する床構造であって、上部防振材３ａと床材Ｆとの間に振動音を抑制する板状の第一遮音板１２を設置している。
【００３７】
第一遮音板１２は、床構造の遮音性能を向上させる為の部材であって、上部防振材３ａの上面３１に載置することができる。その材質は、厚さ９ｍｍ〜１２ｍｍ程度の石膏ボード、厚さ０．８ｍｍ〜１．２ｍｍ程度の鋼板、厚さ０．５ｍｍ〜１ｍｍ程度の鉛シートなどを使用することができる。このような厚さの材質であれば、室の天井高さに大きな影響を与えることがなく床全体の遮音性能を向上させることができる。
【００３８】
また、図９に示すように、横架材の防振構造１又は５を有する横架材を互いに平行に間隔を空けて一対配置した場合は、振動を抑制する平板状の第二遮音板１４を一対の横架材１３の間に嵌め込んで設置することができる。なお、この場合の横架材１３は、梁材であることが望ましい。具体的には、第二遮音板１４は、一対の横架材１３の互いに対向する側面１３ａを被覆する第二防振材４の側面４ａに固定される受け金具１５に両端を支持される。
【００３９】
第二遮音板１４の材質は、軽量気泡コンクリート版や押出成型セメント版、プレキャストコンクリート版のようにある程度厚みのある遮音性能に優れたコンクリート系床版を使用することができる。このように第二遮音板１４を配置することによって、室の天井高さに影響を与えることなく床の遮音性能をさらに向上させることができる。
【００４０】
受け金具１５は、Ｌ型のアングルによって形成される部材で、第二防振材４に固定される固定部１５ａと第二遮音板１４を支持する支持部１５ｂを有している。受け金具１５は、第二遮音板１４を設置した際に、横架材１３を被覆する上部防振材３ａの上面３１と第二遮音板１４の上面１４ａとが略面一となるように位置を調整して第二防振材４の側面４ａに固定される。その固定方法は特に限定されないが、例えば、図９に示すように、固定部１５ａ、横架材１３の両側面１３ａを被覆する第二防振材４、及び横架材１３を貫通する貫通孔を空けておき、固定部１５ａ側からボルト１６を挿入して反対側の第二防振材４から突出したボルト１６にナット１７を螺合させて固定してもよい。なお、受け金具１５は、Ｌ型アングルに限定されず、上記の機能を果たせるのであれば鋼管や木質の角材であってもよい。
【００４１】
また、第二遮音板１４を支持部１５ｂに支持させる際、支持部１５ｂと第二遮音板１４との間に弾性力のある防振ゴム１８を介在させ、第二防振材４の側面４ａと第二遮音板１４の小口面とを離隔させることによって、第二遮音板１４から横架材１３への振動の伝達を防止できる。
【００４２】
このように、遮音床構造１１は、高い防振性能を有する横架材の防振構造１又は５を有するとともに、第一遮音板１２及び第二遮音板１４を使用することにより、高い遮音性能を有する床構造を構築することができる。
【００４３】
また、本発明の実施の形態は上述の形態に限ることなく、本発明の思想の範囲を逸脱しない範囲で適宜変更することができることは云うまでもない。
【産業上の利用可能性】
【００４４】
本発明に係る横架材の防振構造及び遮音床構造は、木造建築物の床構造に好適に使用することが出来る。
【符号の説明】
【００４５】
１、５    横架材の防振構造
２、１３  横架材
２ａ      側面
２ｂ      上面
２ｃ      下面
２ｄ      小口面
３        第一防振材
３１    上面
４      第二防振材
４ａ    側面
６      根太材（横架材）
７      梁材
８      根太受け金具
１１    遮音床構造
１２    第一遮音板
１３ａ  側面
１４    第二遮音板
１４ａ  上面
１５    受け金具
【図１】
2018204237.tif 000003
【図２】
2018204237.tif 000004
【図３】
2018204237.tif 000005
【図４】
2018204237.tif 000006
【図５】
2018204237.tif 000007
【図６】
2018204237.tif 000008
【図７】
2018204237.tif 000009
【図８】
2018204237.tif 000010
【図９】
2018204237.tif 000011
【手続補正書】
【提出日】平成30年8月2日(2018.8.2)
【手続補正１】
【補正対象書類名】特許請求の範囲
【補正対象項目名】請求項１
【補正方法】変更
【補正の内容】
【請求項１】
軸組構造建築物の架構を構成する横架材の防振構造であって、
床材を支持する長尺な前記横架材と、
弾性を有し、前記横架材の上下面を被覆して前記横架材に作用する振動を緩和するシート状の第一防振材と、
前記横架材の両側面全体を被覆して前記横架材の振動を抑制し、剛性を有する樹脂で形成された第二防振材と、を備え、
前記第一防振材は、前記第二防振材の上下面をさらに被覆することを特徴とする横架材の防振構造。
【手続補正２】
【補正対象書類名】明細書
【補正対象項目名】０００８
【補正方法】変更
【補正の内容】
【０００８】
本発明は上述した課題を鑑みたものであって、その第１の横架材の防振構造は、軸組構造建築物の架構を構成する横架材の防振構造であって、床材を支持する長尺な前記横架材と、弾性を有し、前記横架材の上下面を被覆して前記横架材に作用する振動を緩和するシート状の第一防振材と、前記横架材の両側面全体を被覆して前記横架材の振動を抑制し、剛性を有する樹脂で形成された第二防振材と、を備え、前記第一防振材は、前記第二防振材の上下面をさらに被覆することを特徴としている。